(57)【要約】【課題】  正常にトレイ選択ができない場合に、ユーザの求める適切な処理を行うことができる画像形成装置を提供すること。【解決手段】  ユーザが印刷を実行すると（０１）、条件判断手段でトレイ選択条件があるか判断し、あれば条件判定手段に渡す（０２）。そして、条件判定手段は、トレイ選択条件が扱える条件か判定し、扱えない場合は表示部と外部ホスト装置にメッセージを表示する（０３、０４）。ユーザは表示を受けると扱えないトレイ選択条件に近い条件を選択するよう要求すると（０５）、条件判定手段は、扱えない条件に近い条件を選択して印刷するように印刷処理部に要求する（０８）。【選択図】      図６
2006187925.tif 000002
【特許請求の範囲】
【請求項１】
各用紙に対応して複数の給紙トレイを有し、給紙トレイ選択を指定するコマンドを受信し、該コマンドに応じて給紙トレイを検索するコントローラを備えた画像形成装置において、
前記コマンドにより指定されたパラメータにてトレイ選択条件を判断する条件判断手段と、
前記条件判断手段により判断されたトレイ選択条件が処理できる条件か否かを判定する条件判定手段とを前記コントローラを備えたことを特徴とする画像形成装置。
【請求項２】
前記条件判定手段が処理できるトレイ選択条件でないと判定した場合、表示部にその旨のメッセージを表示する表示手段を備えたことを特徴とする請求項１記載の画像形成装置。
【請求項３】
前記条件判定手段が処理できるトレイ選択条件でないと判定した場合、外部ホスト装置にその旨を連絡するホスト連絡手段を備えたことを特徴とする請求項１記載の画像形成装置。
【請求項４】
前記条件判定手段が処理できるトレイ選択条件でないと判定した場合、受信したページデータをジョブキャンセルするか、自動トレイ選択処理をするか、扱えないトレイ指定条件を無視してトレイ選択処理をするか、若しくは扱えないトレイ指定条件に近い条件を選んでトレイ選択処理をするか、の選択手段を備えたことを特徴とする請求項２または請求項３記載の画像形成装置。
【請求項５】
各用紙に対応して複数の給紙トレイを有する画像形成装置において、
給紙トレイ選択条件を指定するコマンドを受信する第１のステップと、
第１のステップで受信したコマンドに応じて給紙トレイを検索する際、コマンドの指定パラメータにてトレイ選択条件を判断する第２のステップと、
第２のステップで判断した当該トレイ選択条件が扱えるトレイ選択条件か否かを判定する第３のステップと、からなることを特徴とする画像形成方法。
【請求項６】
第３のステップでの判定により当該トレイ選択条件が処理できるトレイ選択条件でない場合、
表示部にその旨のメッセージを表示する第４のステップを備えたことを特徴とする請求項５記載の画像形成方法。
【請求項７】
第３のステップでの判定により当該トレイ選択条件が処理できるトレイ選択条件でない場合、
外部ホスト装置にその旨を連絡する第５のステップを備えたことを特徴とする請求項５記載の画像形成方法。
【請求項８】
第３のステップでの判定により当該トレイ選択条件が処理できるトレイ選択条件でない場合、
受信したページデータをジョブキャンセルするか、自動トレイ選択処理をするか、扱えないトレイ指定条件を無視してトレイ選択処理をするか、扱えないトレイ指定条件に近い条件を選んでトレイ選択処理をするかを選択する第６のステップを備えたことを特徴とする請求項６または請求項７記載の画像形成方法。
【発明の詳細な説明】
【技術分野】
【０００１】
本発明は、ユーザの要求に応じて正常にトレイ選択ができない場合にも、ユーザの求める処理を行うことが可能な画像形成装置および画像形成方法に関する。
【背景技術】
【０００２】
従来より、プリンタ等の画像形成装置では、所定のコマンドにより指定された用紙のサイズに合致する給紙トレイを自動選択する技術が提案されていた。
しかしながら、当該プリンタで扱えないサイズの用紙サイズが指定された場合にも検索を行ったり、意図しないサイズの用紙に印刷を行う時間および用紙が無駄になることが多かった。
そこで、斯かる不都合に対する対策として以下の技術が提案されている。
【特許文献１】特開２００３−２７６２８８
【発明の開示】
【発明が解決しようとする課題】
【０００３】
ところで、特許文献１で開示された技術によれば、印刷機で扱えない用紙サイズに限定して対策を講じているが、印刷機（プリンタ）で扱えない紙種およびトレイを含めたトレイ選択条件に対して処理を行いたい。また、扱える用紙サイズでない場合の処理が、受信したページデータをジョブキャンセルするか自動トレイ選択処理をするかのどちらかに限定することなく、それ以外の処理にも対応する必要が生じている。
【０００４】
そこで、本発明の第１の目的は、ユーザが指定したトレイ選択条件で正常にトレイ選択を行えるかどうか判断することができ、給紙トレイの検索処理時間を短縮すること、無駄な印刷を排除することができる画像形成装置および画像形成方法を提供することである。
本発明の第２の目的は、ユーザが正常にトレイ選択を行えないことを表示によって認識させる画像形成装置および画像形成方法を提供することである。
本発明の第３の目的は、正常にトレイ選択ができない場合に、ユーザの求める適切な処理を行うことができる画像形成装置および画像形成方法を提供することである。
【課題を解決するための手段】
【０００５】
請求項１記載の発明では、各用紙に対応して複数の給紙トレイを有し、給紙トレイ選択を指定するコマンドを受信し、該コマンドに応じて給紙トレイを検索するコントローラを備えた画像形成装置において、前記コマンドにより指定されたパラメータにてトレイ選択条件を判断する条件判断手段と、前記条件判断手段により判断されたトレイ選択条件が処理できる条件か否かを判定する条件判定手段とを前記コントローラを備えたことにより、前記第１の目的を達成する。
請求項２記載の発明では、請求項１記載の発明において、  前記条件判定手段が処理できるトレイ選択条件でないと判定した場合、表示部にその旨のメッセージを表示する表示手段を備えたことにより、前記第２の目的を達成する。
請求項３記載の発明では、請求項１記載の発明において、前記条件判定手段が処理できるトレイ選択条件でないと判定した場合、外部ホスト装置にその旨を連絡するホスト連絡手段を備えたことにより、前記第２の目的を達成する。
請求項４記載の発明では、請求項２または請求項３記載の発明において、前記条件判定手段が処理できるトレイ選択条件でないと判定した場合、受信したページデータをジョブキャンセルするか、自動トレイ選択処理をするか、扱えないトレイ指定条件を無視してトレイ選択処理をするか、若しくは扱えないトレイ指定条件に近い条件を選んでトレイ選択処理をするか、の選択手段を備えたことにより、前記第３の目的を達成する。
【０００６】
請求項５記載の発明では、各用紙に対応して複数の給紙トレイを有する画像形成装置において、給紙トレイ選択条件を指定するコマンドを受信する第１のステップと、第１のステップで受信したコマンドに応じて給紙トレイを検索する際、コマンドの指定パラメータにてトレイ選択条件を判断する第２のステップと、第２のステップで判断した当該トレイ選択条件が扱えるトレイ選択条件か否かを判定する第３のステップと、からなる画像形成方法によって、前記第１の目的を達成する。
請求項６記載の発明では、請求項５記載の発明において、第３のステップでの判定により当該トレイ選択条件が処理できるトレイ選択条件でない場合、表示部にその旨のメッセージを表示する第４のステップを備えたことにより、前記第２の目的を達成する。
請求項７記載の発明では、請求項５記載の発明において、  第３のステップでの判定により当該トレイ選択条件が処理できるトレイ選択条件でない場合、外部ホスト装置にその旨を連絡する第５のステップを備えたことにより、前記第２の目的を達成する。
請求項８記載の発明では、請求項６または請求項７記載の発明において、第３のステップでの判定により当該トレイ選択条件が処理できるトレイ選択条件でない場合、受信したページデータをジョブキャンセルするか、自動トレイ選択処理をするか、扱えないトレイ指定条件を無視してトレイ選択処理をするか、扱えないトレイ指定条件に近い条件を選んでトレイ選択処理をするかを選択する第６のステップを備えたことにより、前記第３の目的を達成する。
【発明の効果】
【０００７】
請求項１および請求項５記載の発明では、ユーザが指定したトレイ選択条件で正常にトレイ選択を行えるかどうか判断することができ、給紙トレイの検索処理時間を短縮すること、無駄な印刷を排除することができる。
請求項２および請求項６記載の発明では、ユーザが正常にトレイ選択を行えないことを表示によって認識させることができる。
請求項３および請求項７記載の発明では、外部ホスト装置にも正常にトレイ選択を行えないことを表示によって認識させることができる。
請求項４および請求項８記載の発明では、正常にトレイ選択ができない場合に、ユーザの求める処理を行うことができる。
【発明を実施するための最良の形態】
【０００８】
以下、本発明の好適な実施の形態について、図１ないし図７を参照して詳細に説明する。
図１は、本実施例に係る画像形成装置の構成を示したブロック図である。この画像形成装置１０には、ＣＰＵ（中央演算処理装置）１１、ワークメモリであるＲＡＭ（ランダム・アクセス・メモリ）１２、ＮＶＲＡＭ（不揮発性メモリ）１３、ＲＯＭ（リード・オンリ・メモリ）１４、表示部１５、ホストインターフェイス（Ｉ／Ｆ）１６、印刷部１７が設けられている。
【０００９】
図２は、本実施例におけるトレイ選択処理の手順を示したフローチャートである。
まず、受信バッファにデータがあるか否かを判断し（ステップ１０）、データが存在した場合（ステップ１０；Ｙ）、コマンドの解析と処理を行う（ステップ１１）。その結果、トレイ選択条件が指定されていたら（ステップ１２；Ｙ）、その条件がプリンタで扱える条件か調べる（ステップ１３）。そして、扱える場合は（ステップ１３；Ｙ）、通常のトレイ選択処理を行う（ステップ２０）。
一方、プリンタで扱えない場合は（ステップ１３；Ｎ）、その旨のメッセージを表示部１５に表示する（ステップ１４）。
【００１０】
それに対して、ユーザがジョブキャンセルを指定したら（ステップ１５；Ｙ）、ジョブキャンセルの実行処理を行う（ステップ２１）。
一方、ジョブキャンセルの指定をせずに（ステップ１５；Ｎ）、ユーザが印刷続行を指定したら（ステップ１６；Ｙ）、トレイ選択処理を行う（ステップ２２）。
また、印刷の続行を指定せずに（ステップ１６；Ｎ）、ユーザが扱えない条件の削除を指定したら（ステップ１７；Ｙ）、その条件を削除してトレイ選択処理を行う（ステップ２３）。
ユーザが扱えない条件の近い条件を選択するよう指定したら（ステップ１８；Ｙ）、近い条件を選択してトレイ選択処理を行う（ステップ２４）。
【００１１】
図３は、ステップ１４で表示するメッセージの例である。例１はトレイ選択情報の中で紙種が扱えない値の場合の例である。また、例２はトレイ選択情報の中で用紙サイズと紙種が扱えない値の場合の例である。
【００１２】
図４は、ステップ１７で扱えない条件を削除することを選択した場合の処理手順を示した図である。
ユーザが印刷を実行すると（０１）、条件判断手段でトレイ選択条件があるか判断する。そして、あれば条件判定手段に渡す（０２）。次に、条件判定手段は、トレイ選択条件が扱える条件か判定し、扱えない場合は表示部と外部ホスト装置にメッセージを表示する（０３、０４）。
ここで、ユーザは表示を受けると扱えないトレイ選択条件を削除するよう要求すると（０５）、条件判定手段は扱えない条件を削除して印刷要求する（０６）。
【００１３】
図５は、ステップ１８で近い条件を選択することを選択した場合の処理手順を示した図である。
ユーザが印刷を実行すると（０１）、条件判断手段でトレイ選択条件があるか判断し、あれば条件判定手段に渡す（０２）。次に、条件判定手段は、トレイ選択条件が扱える条件か判定し、扱えない場合は表示部と外部ホスト装置にメッセージを表示する（０３、０４）。ユーザは表示を受けると扱えないトレイ選択条件に近い条件を選択するよう要求すると（０５）、条件判定手段は印刷処理部にトレイ設定を要求する（０６）。
そして、印刷処理部は実際のトレイの設定を条件判定手段に提示する（０７）。条件判定手段は、提示されたトレイ設定とトレイ選択条件を比較し扱えない条件に近い条件を選択して印刷要求する（０８）。
【００１４】
図６も、近い条件を選択することを選択した場合の処理手順を示した図である。
この場合は、条件判定手段で近い条件を選ぶのではなく、印刷処理部で近い条件を選び印刷処理を行うようにしている。
ユーザが印刷を実行すると（０１）、条件判断手段でトレイ選択条件があるか判断し、あれば条件判定手段に渡す（０２）。そして、条件判定手段は、トレイ選択条件が扱える条件か判定し、扱えない場合は表示部と外部ホスト装置にメッセージを表示する（０３、０４）。ユーザは表示を受けると扱えないトレイ選択条件に近い条件を選択するよう要求すると（０５）、条件判定手段は、扱えない条件に近い条件を選択して印刷するように印刷処理部に要求する（０８）。
【００１５】
図７に示す表１は、扱えないトレイ選択条件を近い条件に変更する場合の例である。
この場合は用紙サイズを優先的にチェックするとして近い条件を選択している。処理の流れとしては、まず、トレイ選択条件と扱える条件を比較し、扱えない条件を明確にする。次に、明確になった、扱えない条件と実際のトレイ設定を比較して選択する近い条件を決定する。
【図面の簡単な説明】
【００１６】
【図１】本実施例に係る画像形成装置の構成を示したブロック図である。
【図２】本実施例におけるトレイ選択処理の手順を示したフローチャートである。
【図３】表示するメッセージの例を示した図である。
【図４】扱えない条件を削除することを選択した場合の処理手順を示した図である。
【図５】近い条件を選択することを選択した場合の処理手順を示した図である。
【図６】近い条件を選択することを選択した場合の処理手順を示した図である。
【図７】扱えないトレイ選択条件を近い条件に変更する場合の例を示した図である。
【符号の説明】
【００１７】
１１  ＣＰＵ（中央演算処理装置）
１２  ＲＡＭ
１３  ＮＶＲＡＭ
１４  ＲＯＭ
１５  表示部
１６  ホストインターフェイス
１７  印刷部
【図１】
2006187925.tif 000003
【図２】
2006187925.tif 000004
【図３】
2006187925.tif 000005
【図４】
2006187925.tif 000006
【図５】
2006187925.tif 000007
【図６】
2006187925.tif 000008
【図７】
2006187925.tif 000009